(57)【要約】【課題】この発明は、地盤を支える擁壁の上部に足場を設置する際に、擁壁の背面側において吊り部材用の管体を固定する作業を不要とし、作業性を改善することを目的とする。【解決手段】この発明は、擁壁の上端に正面側と背面側とに軸線方向を指向させて載置される筒形状の本体部材を設け、この本体部材は軸線方向に貫通して開口するねじ孔を備え、本体部材の軸線方向一端側に取り付けられるアンカー用部材を設け、このアンカー用部材は擁壁の背面側からねじ孔に螺着する取付ボルトによって本体部材に取り付けられる固定部を備えるとともに擁壁の上端に植え込まれたアンカーに係止する係止部を備え、本体部材の軸線方向他端側に取り付けられる足場用部材を設け、この足場用部材は擁壁の正面側からねじ孔に螺着するねじ部を備えるとともに擁壁の正面側に設置する足場を吊す吊り部を備えることを特徴とする。【選択図】図１
2010084416.tif 000002
【特許請求の範囲】
【請求項１】
地盤を支える擁壁の上端にこの擁壁の正面側と背面側とに軸線方向を指向させて載置される筒形状の本体部材を設け、この本体部材は軸線方向に貫通して前記擁壁の正面側と背面側とに開口するねじ孔を備え、前記本体部材の前記擁壁の背面側に位置する軸線方向一端側に取り付けられるアンカー用部材を設け、このアンカー用部材は前記擁壁の背面側から前記ねじ孔に螺着する取付ボルトによって前記本体部材に取り付けられる固定部を備えるとともに前記擁壁の上端に植え込まれたアンカーに係止する係止部を備え、前記本体部材の前記擁壁の正面側に位置する軸線方向他端側に取り付けられる足場用部材を設け、この足場用部材は前記擁壁の正面側から前記ねじ孔に螺着するねじ部を備えるとともに前記擁壁の正面側に設置する足場を吊す吊り部を備えることを特徴とする足場用吊り金具。
【請求項２】
前記擁壁の上端に埋設されたアンカーに係止した前記係止部を、前記擁壁の上端に形成されたアンカー用窪部に押し付けて前記アンカー用部材の緩みを防止する緩み止め部材を設けたことを特徴とする請求項１に記載の足場用吊り金具。
【発明の詳細な説明】
【技術分野】
【０００１】
この発明は足場用吊り金具に係り、特に、地盤を支える擁壁の上部の正面側に足場を設置する際に使用する足場用吊り金具に関する。
【背景技術】
【０００２】
切り土や盛り土などの地盤を支持する擁壁の工事においては、例えば、複数の壁面材を水平方向及び上下方向に複数並べて連結し、各壁面材の背面に一端側を連結した抗張部材の他端側を壁面材から離間する方向に展張して他端にアンカープレートを連結し、壁面材の背面側に盛土を投入転圧して抗張部材とアンカープレートとを埋設することで、必要な高さに擁壁を構築して地盤を支持するものがある。
【０００３】
このように構築された擁壁は、最上部の壁面材の上端に高さ調整用の笠石をコンクリートによって形成している。この笠石をコンクリートで打つ際には、擁壁の上端に笠石用型枠を取り付ける作業を行っている。
【特許文献１】特開平１１−２００６２５号公報
【発明の開示】
【発明が解決しようとする課題】
【０００４】
ところで、建物工事や土木工事などにおいては、高所で作業する場合に足場を設置している。例えば、前述特許文献１に示す擁壁の上端に高さ調整用の笠石をコンクリートで打つ際には、笠石用型枠を取り付ける作業を行うための足場を擁壁の上部に設置している。
【０００５】
ところが、擁壁の上部に足場を設置する際には、擁壁の背面側や正面側において、管体や鎖などの吊り部材を固定するための作業を必要とする問題がある。
【０００６】
即ち、足場を設置する際には、擁壁の背面側に吊り部材用の管体を水平状態に固定し、この管体に一端側を固定した鎖などの吊り部材の中間を擁壁の上端を越えるように延ばし、吊り部材の他端側を擁壁の正面側に垂らして足場用の管体を水平状態に固定する。この管体には、上下方向に延びる複数の管体を平行に取り付け、この上下方向に延びる複数の管体の下部に水平状態に管体を固定し、前記上下方向に延びる複数の管体に固定した板置き部材に足場板を載せることで、足場を設置している。
【０００７】
このため、擁壁の上部に足場を設置する際には、擁壁の背面側に吊り部材用の管体を固定し、この管体から正面側に鎖などの吊り部材を延ばして足場用の管体を固定し、この管体に板置き部材を固定して足場板を載せる作業を必要とするため、作業性が悪い問題があった。
【０００８】
この発明は、地盤を支える擁壁の上部に足場を設置する際に、擁壁の背面側において吊り部材用の管体を固定する作業を不要とし、作業性を改善することを目的とする。
【課題を解決するための手段】
【０００９】
この発明は、地盤を支える擁壁の上端に軸線方向を擁壁の正面側と背面側とに指向させて載置される筒形状の本体部材を設け、この本体部材は軸線方向に貫通して前記擁壁の正面側と背面側とに開口するねじ孔を備え、前記本体部材の前記擁壁の背面側に位置する軸線方向一端側に取り付けられるアンカー用部材を設け、このアンカー用部材は前記擁壁の背面側から前記ねじ孔に螺着する取付ボルトによって前記本体部材に取り付けられる固定部を備えるとともに前記擁壁の上端に植え込まれたアンカーに係止する係止部を備え、前記本体部材の前記擁壁の正面側に位置する軸線方向他端側に取り付けられる足場用部材を設け、この足場用部材は前記擁壁の正面側から前記ねじ孔に螺着するねじ部を備えるとともに前記擁壁の正面側に設置する足場を吊り部材を介して吊す吊り部を備えることを特徴とする。
【発明の効果】
【００１０】
この発明の足場用吊り金具は、地盤を支える擁壁の上端に本体部材を載置し、この本体部材の軸線方向一端側に固定部を取り付けたアンカー用部材の係止部を擁壁の上端に植え込まれたアンカーに係止し、本体部材の軸線方向他端側にねじ部で取り付けた足場用部材の吊り部に吊り部材を介して擁壁の正面側に設置する足場を吊すことで、擁壁の上端に既設のアンカーを利用して足場を吊すことができ、擁壁の背面側において吊り部材用の管体を固定する作業を必要とせず、作業性を改善することができる。
【発明を実施するための最良の形態】
【００１１】
以下、図面に基づいて、この発明の実施例を説明する。
【実施例】
【００１２】
図１〜図９は、この発明の実施例を示し、図１は擁壁に取り付けた足場用吊り金具の側面図、図２は図１の矢印ＩＩによる擁壁に取り付けた足場用吊り金具の背面図、図３の（Ａ）（Ｂ）は本体部材の平面図と正面図、図４の（Ａ）〜（Ｃ）はアンカー用部材の正面図と側面図と平面図、図５の（Ａ）（Ｂ）は取付ボルトの平面図と正面図、図６の（Ａ）（Ｂ）は緩み止め部材の正面図と側面図、図７の（Ａ）（Ｂ）は足場用部材の正面図と側面図、図８の（Ａ）（Ｂ）はばね座金の平面図と正面図、図９は擁壁に足場用吊り金具により設置した足場の側面図である。
【００１３】
図９において、１は擁壁である。この擁壁１は、例えば、複数の壁面材２を水平方向及び上下方向に複数並べて連結し、各壁面材２の背面に固定具３により抗張部材４の一端側を連結し、抗張部材３の他端側を壁面材２から離間する方向に展張して他端にアンカープレート（図示せず）を連結し、壁面材２の背面側に盛土を投入転圧して前記抗張部材３とアンカープレートとを埋設することで、必要な高さに構築して地盤を支持している。
【００１４】
前記擁壁１を構成する壁面材２の上端には、アンカー５が植え込まれている。アンカー５は、壁面材２に埋め込まれる軸部６の上端に径大な頭部７を備え、壁面材２の上端に形成した半球面形状のアンカー用窪部８内に頭部７を位置させて軸部６を埋め込んでいる。このアンカー５は、壁面材２を上下方向に並べて擁壁１を構築する際に使用されるものである。
【００１５】
前記アンカー５には、擁壁１の上部に足場９を鎖などの吊り部材１０で吊すための足場用吊り金具１１が取り付けられる。足場用吊り金具１１は、図１・図２に示すように、擁壁１を構成する最上部の壁面材２の上端に、軸線Ａ方向を擁壁１の正面側と背面側とに指向させて載置される筒形状の本体部材１２を設けている。この本体部材１２は、図３に示すように、軸線Ａ方向に貫通して前記擁壁１の正面側と背面側とに開口するねじ孔１３を備えている。また、本体部材１２は、図１に示すように、外周に擁壁１の損傷を防止する保護材１４を巻き付けている。
【００１６】
また、前記足場用吊り金具１１は、本体部材１２の、前記擁壁１の背面側に位置する軸線Ａ方向一端側に取り付けられるアンカー用部材１５を設けている。このアンカー用部材１５は、図４に示すように、前記擁壁１の背面側から前記ねじ孔１３に螺着する取付ボルト１６（図５参照）によって本体部材１２に取り付けられる固定部１７を備えるとともに、前記擁壁１の上端に植え込まれたアンカー５に係止する係止部１８を備えている。
【００１７】
前記固定部１７は、本体部材１２の軸線Ａ方向一端側に当接される平板形状に形成され、取付ボルト１６を挿通するための挿通孔１９を形成している。前記係止部１８は、アンカー用窪部８に沿うように球面形状に形成され、アンカー５の軸部７を挟むようにアンカー用窪部８に挿入して頭部６に係止するための係止溝２０を形成している。固定部１７と係止部１８とは、２つの折曲げ部２１・２２を挟んだ平板形状の連絡部２３を介して連続している。
【００１８】
さらに、前記足場用吊り金具１１は、前記擁壁１の上端に埋設されたアンカー５の頭部６に係止した前記係止部１８を前記擁壁１の上端に形成されたアンカー用窪部８に押し付けて、アンカー用部材１５の緩みを防止する緩み止め部材２４を設けている。緩み止め部材２４は、図６に示すように、２つの折曲げ部２５・２６を介して連続する基端部２７と中間部２８と先端部２９とからなる細幅板折曲げ形状に形成され、先端部２９の端縁から中間部２８の中央付近にまで達する係止溝３０を形成している。
【００１９】
前記緩み止め部材２４は、図２に示すように、基端部２７を操作部として係止溝３０がアンカー５の軸部７を挟んだ状態でアンカー用窪部８内に先端部２９から中間部２８まで挿入し、２つの折曲げ部２５・２６をそれぞれアンカー用窪部８とアンカー用部材１５の係止部１８とに押し付けるとともに、中間部２８をアンカー５の頭部７に押し付けることで、中間部２８を弾性変形させる。これにより、緩み止め部材２４は、アンカー５の頭部７によりアンカー用部材１５の係止部１８をアンカー用窪部８に弾性的に押し付け、緩みを防止する。
【００２０】
さらにまた、前記足場用吊り金具１１は、本体部材１２の、前記擁壁１の正面側に位置する軸線Ａ方向他端側に取り付けられる足場用部材３１を設けている。この足場用部材３１は、図７に示すように、前記擁壁１の正面側から前記ねじ孔１３に螺着する軸形状のねじ部３２を備えるとともに、前記擁壁１の正面側に設置する前記足場９を吊り部材１０を介して吊すための円環形状の吊り部３３を備えている。ねじ部３２と吊り部３３とは、ボス部３４を介して連続している。吊り部３３は、吊り穴３５を有し、ねじ部３２を本体部材１２のねじ孔１３に螺着するための操作部としても機能する。
【００２１】
また、前記足場用部材３０のボス部３４と本体部材１２との間には、図８に示すばね座がね３６を介装している。ばね座金３６は、足場用部材３１のねじ部３２を本体部材１２のねじ孔１３に螺着したときに、円環形状の吊り部３３の径中心が水平方向に指向するように（図１参照）、足場用部材３１の回転方向の位置を調整する。これにより、足場用部材３１は、図９に示すように、ばね座金３６によって、吊り部３３の吊り穴３５が吊り部材１０を挿通し易い位置になるように、本体部材１２に取り付けることができる。なお、アンカー用部材１５の固定部１７と取付ボルト１６との間には、図１に示すように、平座金３７を介装している。
【００２２】
次に、この実施例の作用を説明する。
【００２３】
構築された擁壁１の上部において作業する場合には、図９に示すように、足場９を設置する。例えば、擁壁１の上端に高さ調整用の笠石をコンクリートを打つ際には、笠石用型枠３８を取り付ける作業を行うための足場９を、足場用吊り金具１１により鎖などの吊り部材１０を使用して設置する。
【００２４】
足場用吊り金具１１は、図１に示すように、本体部材１２を擁壁１の上端に載置し、本体部材１２の軸線Ａ方向一端側にアンカー用部材１５の固定部１７を取付ボルト１６により取り付け、アンカー用部材１５の係止部１８をアンカー５の頭部７に係合するとともに、軸線Ａ方向他端側に足場用部材３１のねじ部３２を螺着して取り付ける。
【００２５】
このとき、本体部材１２は、外周に巻いた保護材１４によって擁壁１の損傷を防止することができる。また、アンカー用部材１５は、固定部１７と取付ボルト１６との間に平座金３７を介装して本体部材１２に取り付けることで、安定して取り付けることができる。さらに、アンカー用部材１５は、アンカー５の頭部７とアンカー用部材１５の係止部１８との間に緩み止め部材２４を弾性変形させながら挿入することで、製造時の寸法誤差を解消して、アンカー５に対する緩みを防止することができる。さらにまた、足場用部材３０は、擁壁１の上端に載置した本体部材１２に対して、吊り部３３の径中心が水平方向に指向するように、ばね座金３６によって位置を調整して取り付けることで、吊り部３３の吊り穴３５に吊り部材１０を挿通し易くすることができる。
【００２６】
この足場用吊り金具１１により足場９を設置する際には、先ず、吊り部３３に吊り部材１０を挿通し、この吊り部材１０で擁壁１の正面側に足場用の管体３９を水平状態に固定する。この管体３９には、上下方向に延びる複数の管体４０をクランプ４１により平行に固定し、この上下方向に延びる複数の管体４０の下部に水平状態に管体４２をクランプ４３により固定する。前記上下方向に延びる複数の管体４０には、それぞれ三角枠形状の板置き部材４４を取り付け、この板置き部材４４上に足場板４５を載せることで、足場９を設置する。板置き部材４４は、管体４０の上部に固定した受部４６に掛止部４７を挿入して掛止し、管体４０の下部に当接部４８を当接することで、管体４０に取り付けられる。
【００２７】
設置した足場９は、前記笠石用型枠３８の取り付け作業を行う際の、作業足場とすることができる。このとき、笠石用型枠３８は、足場用吊り金具１１を利用して取り付けることもできる。
【００２８】
このように、この足場用吊り金具１１は、地盤を支える擁壁１の上端に本体部材１２を載置し、この本体部材１２の軸線Ａ方向一端側に固定部１７を取り付けたアンカー用部材１５の係止部１８を擁壁１の上端に植え込まれたアンカー５に係止し、本体部材１２の軸線Ａ方向他端側にねじ部３２で取り付けた足場用部材３０の吊り部３３に吊り部材１０を挿通して、擁壁１の正面側に設置する足場９を吊している。
【００２９】
これにより、この足場用吊り金具１１は、擁壁１の上端に既設のアンカー５を利用して足場９を吊すことができ、擁壁１の背面側において吊り部材用の管体を固定する作業を必要としないので、作業性を改善することができる。
【００３０】
また、この足場用吊り金具１１は、本体部材１２の外周に巻いた保護材１４によって擁壁１の損傷を防止することができ、アンカー用部材１５の固定部１７と取付ボルト１６との間に介装した平座金３７によって安定して取り付けることができ、ばね座金３６によって位置を調整して足場用部材３０を本体部材１２に取り付けることで、吊り部３３に吊り部材１０を挿通し易くすることができる。
【００３１】
さらに、足場用吊り金具１１は、緩み止め部材２４によって、アンカー５に対するアンカー用部材１５の緩みを防止することができるので、製造時の寸法誤差を解消してアンカー用部材１５を擁壁１に堅固に取り付けることができ、足場９を安定して吊ることができる。
【００３２】
さらにまた、足場用吊り金具１１は、アンカー用部材１５の固定部１７と係止部１８との間に２つの折曲げ部２１・２２を形成して２度折り構造としているので、アンカー５への取り付け時に滑りがなく、係止部１８をアンカー５に確実に係止することができる。また、足場用吊り金具１１は、緩み止め部材２４に２つの折曲げ部２５・２６を形成して２段折曲形状としているので、アンカー用部材１５のアンカー５に対する緩み止めを効率良く行うことができる。
【００３３】
なお、足場用吊り金具１１は、足場９を解体した後にアンカー５から取り外して回収することもできるが、笠石用型枠３８の取り付けに利用した場合は固定した状態とすることもできる。この場合、足場用吊り金具１１は、本体部材１２のねじ孔１３から足場用部材３１を抜いて盲ボルト（図示せず）を螺着することで、ねじ孔１３を閉塞する。
【産業上の利用可能性】
【００３４】
この足場用吊り金具は、高所に足場を吊ることができるものであり、足場以外の部材の取り付けにも応用することができる。
【図面の簡単な説明】
【００３５】
【図１】実施例を示す擁壁に取り付けた足場用吊り金具の側面図である。
【図２】図１の矢印ＩＩによる擁壁に取り付けた足場用吊り金具の背面図である。
【図３】（Ａ）は本体部材の平面図、（Ｂ）は本体部材の正面図である。
【図４】（Ａ）はアンカー用部材の正面図、（Ｂ）はアンカー用部材の側面図、（Ｃ）はアンカー用部材の平面図である。
【図５】（Ａ）は取付ボルトの平面図、（Ａ）は取付ボルトの正面図である。
【図６】（Ａ）は緩み止め部材の正面図、（Ｂ）は緩み止め部材の側面図である。
【図７】（Ａ）は足場用部材の正面図、（Ｂ）は足場用部材の側面図である。
【図８】（Ａ）はばね座金の平面図、（Ｂ）はばね座金の正面図である。
【図９】擁壁に足場用吊り金具により設置した足場の側面図である。
【符号の説明】
【００３６】
１  擁壁
５  アンカー
８  アンカー用窪部
９  足場
１０  吊り部材
１１  足場用吊り金具
１２  本体部材
１３  ねじ孔
１５  アンカー用部材
１６  取付ボルト
１７  固定部
１８  係止部
１９  挿通孔
２０  係止溝
２４  緩み止め部材
３０  係止溝
３１  足場用部材
３２  ねじ部
３３  吊り部
３６  ばね座金
【図１】
2010084416.tif 000003
【図２】
2010084416.tif 000004
【図３】
2010084416.tif 000005
【図４】
2010084416.tif 000006
【図５】
2010084416.tif 000007
【図６】
2010084416.tif 000008
【図７】
2010084416.tif 000009
【図８】
2010084416.tif 000010
【図９】
2010084416.tif 000011